(57)【要約】【課題】  撮像装置の内部記録手段または着脱可能な記録媒体に格納された撮影画像のうち、外部記録手段に転送済みの撮影画像について、撮影者等が容易に把握することのできる撮像装置、記録装置および画像転送方法、並びにその方法の制御プログラムが記録された記録媒体、画像ファイルとして画像データが記録された記録媒体を提供する。【解決手段】  被写体の光学的な像を形成する撮像光学系と、撮像光学系によって形成された光学的な像を受光し、光学的な像を電気的な画像信号に変換する撮像手段と、撮像手段によって得られる画像信号と、識別信号とを含む画像ファイルを格納する記録手段と、記録手段に格納された画像ファイルのうち、外部装置に転送されるべき画像ファイルの識別信号を書き換える書き換え手段とを備えることにより、撮影者等は、転送済み画像を容易に把握することができる。【選択図】  図１
2006157128.tif 000002
【特許請求の範囲】
【請求項１】
被写体の光学的な像を電気的な画像信号として出力し、接続された外部装置に転送可能な撮像装置であって、
被写体の光学的な像を形成する撮像光学系と、
前記撮像光学系によって形成された光学的な像を受光し、光学的な像を電気的な画像信号に変換する撮像手段と、
前記撮像手段によって得られる前記画像信号と、前記外部装置に転送されるべき画像信号であるか否かを示す識別信号とを含む画像ファイルを格納する記録手段と、
前記記録手段に格納された前記画像ファイルのうち、前記外部装置に転送されるべき画像ファイルの前記識別信号を書き換える書き換え手段とを備えることを特徴とする、撮像装置。
【請求項２】
前記識別信号に基づいて前記画像ファイルを検出する画像検出手段を備え、
前記書き換え手段は、前記記録手段に格納された前記画像ファイルのうち、前記画像検出手段により検出されない画像ファイルの前記識別信号を書き換えることを特徴とする、請求項１記載の撮像装置。
【請求項３】
前記外部装置との接続を検出する接続検出手段を備え、
前記書き換え手段は、前記接続検出手段により前記外部装置との接続を検出したあと、転送されるべき前記画像ファイルの前記識別信号を書き換えることを特徴とする、請求項１記載の撮像装置。
【請求項４】
前記識別信号に基づいて前記画像ファイルを検出する画像検出手段と、
前記記録手段に格納された前記画像ファイルのうち、前記画像検出手段により検出されない画像ファイルを、前記外部装置に転送する転送手段とを備えることを特徴とする、請求項１記載の撮像装置。
【請求項５】
前記識別信号に基づいて前記画像ファイルを検出する画像検出手段と、
前記画像検出手段により検出される前記画像ファイルの前記画像信号に基づいて、撮影画像を表示する表示手段とを備えることを特徴とする、請求項１記載の撮像装置。
【請求項６】
前記表示手段は、前記書き換え手段により前記識別信号が書き換えられていることを示す識別表示画像を、前記撮影画像とともに表示することを特徴とする、請求項５記載の撮像装置。
【請求項７】
前記識別信号に基づいて前記画像ファイルを検出する画像検出手段と、
前記画像検出手段により検出された前記画像ファイルを消去する消去手段とを備えることを特徴とする、請求項１記載の撮像装置。
【請求項８】
前記消去手段は、前記撮像装置の電源の投入時あるいは切断時に、前記画像検出手段により検出された前記画像ファイルの消去を行うことを特徴とする、請求項７記載の撮像装置。
【請求項９】
前記画像ファイルを、前記識別信号に基づいて前記記録手段に格納させる記録制御手段と、
格納された前記画像ファイルを消去する消去手段とを備えることを特徴とする、請求項１記載の撮像装置。
【請求項１０】
記録媒体に格納された画像ファイルを読み出し可能な記録装置であって、
前記画像ファイルは、画像信号と、前記記録装置に転送されるべき画像信号であるか否かを示す識別信号とを含み、
前記記録媒体に格納された前記画像ファイルのうち、転送されるべき画像ファイルの前記識別信号を書き換える書き換え手段と、
前記書き換え手段により書き換えられた当該画像ファイルを前記記録装置に転送する転送手段と、
転送された当該画像ファイルを格納する内部記録手段とを備えることを特徴とする、記録装置。
【請求項１１】
前記識別信号に基づいて前記画像ファイルを検出する画像検出手段を備え、
前記書き換え手段は、前記記録媒体に格納された前記画像ファイルのうち、前記画像検出手段により検出されない前記画像ファイルの前記識別信号を書き換えることを特徴とする、請求項１０記載の記録装置。
【請求項１２】
表示手段に接続可能な記録装置であって、
前記識別信号に基づいて、前記記録媒体に格納された前記画像ファイルを検出する画像検出手段と、
前記検出手段により検出される前記画像ファイルの前記画像信号に基づいて、撮影画像を前記表示手段に表示させる表示制御手段とを備えることを特徴とする、請求項１０記載の記録装置。
【請求項１３】
前記表示手段は、前記書き換え手段により前記識別信号が書き換えられていることを示す識別表示画像を、前記撮影画像とともに表示することを特徴とする、請求項１２記載の記録装置。
【請求項１４】
記録媒体に格納された画像ファイルを読み出して、外部に接続された記録装置に転送するための画像転送方法であって、
前記画像ファイルは、画像信号と、前記記録装置に転送されるべき画像信号であるか否かを示す識別信号とを含み、
前記記録媒体に格納された前記画像ファイルのうち、前記識別信号が書き換えられている画像ファイルを検出する検出ステップと、
前記検出ステップにより検出されない画像ファイルの前記識別信号を書き換える書き換えステップと、
前記書き換えステップにより書き換えられた当該画像ファイルを前記記録装置に転送する転送ステップとを備えることを特徴とする、画像転送方法。
【請求項１５】
前記転送ステップにより転送された前記画像信号を格納する記録ステップとを備えることを特徴とする、請求項１４記載の画像転送方法。
【請求項１６】
記録媒体に格納された画像信号を記録装置に転送するための制御プログラムを記録したコンピュータ読み取り可能な記録媒体であって、
前記制御プログラムは、
前記記録媒体に格納された前記画像信号のうち、画像信号の一部が識別信号に書き換えられていることを検出させる検出手順と、
前記検出手順により検出されない画像信号の一部を識別信号に書き換えさせる書き換え手順と、
前記書き換え手順により書き換えられた当該画像信号を前記記録装置に転送させる転送手順とを備えること特徴とする、記録媒体。
【請求項１７】
画像ファイルとして画像データが記録されたコンピュータ読み取り可能な記録媒体であって、
前記画像ファイルは、データ部と、ヘッダ部もしくはフッタ部とを含む構造体を有し、
データ部は、画像信号を含み、
ヘッダ部もしくはフッタ部のどちらか一方は、前記記録媒体の外部へ転送されるべき画像信号であるか否かを示す識別信号を含むことを特徴とする、データ構造を有する画像データが記録されたコンピュータ読み取り可能な記録媒体。
【請求項１８】
前記識別信号は、前記記録媒体の外部へ転送されるべき画像ファイルであることを示す識別表示画像を含むことを特徴とする、
請求項１７記載のデータ構造を有する画像データが記録されたコンピュータ読み取り可能な記録媒体。
【発明の詳細な説明】
【技術分野】
【０００１】
本発明は、撮像装置により撮影された画像信号の転送方法に関し、特定的には、記録手段への転送方法を制御する撮像装置、記録装置および画像転送方法、並びにその方法の制御プログラムが記録された記録媒体、画像ファイルとして画像データが記録された記録媒体に関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像センサおよび信号処理の集積度が向上し、かつ安価に提供できるようになったため、被写体の光学的な像を電気的な画像信号に変換して出力可能なデジタルスチルカメラやデジタルビデオカメラ（以下、単にデジタルカメラという）が急速に普及している。
【０００３】
撮影された画像信号は、デジタルカメラの内部メモリに格納される。格納すべき画像信号の容量が、内部メモリの容量を超える場合、デジタルカメラとパーソナルコンピュータとを接続し、画像信号はデジタルカメラからパーソナルコンピュータへ転送される方法がとられている。すなわち、デジタルカメラに格納された画像信号と等しい画像信号が、パーソナルコンピュータへ複製される。
【０００４】
しかしながら、画像信号をパーソナルコンピュータへ転送する作業において、撮影者や転送作業を行う者（以下、撮影者等という）は、パーソナルコンピュータの操作を必要とする。したがって、これらの転送作業は、パーソナルコンピュータになじみのない撮影者等にとって容易でないという問題があった。
【０００５】
これに対して、デジタルカメラとパーソナルコンピュータとを接続し、デジタルカメラに格納されたプログラムを実行することにより、画像信号をパーソナルコンピュータに転送する技術が提案されている。
【０００６】
また、画像信号の転送作業において、撮影者等は、以前に一度転送した画像信号を再び同じパーソナルコンピュータへ転送することがある。これにより、パーソナルコンピュータには、同じ画像信号が重複して格納されることになる。したがって、パーソナルコンピュータの記録容量が無駄に消費されるという問題があった。
【０００７】
これに対して、デジタルカメラとパーソナルコンピュータとを接続した際に、転送される画像信号と、パーソナルコンピュータに格納される画像信号とのファイル番号を比較することにより、一度転送した画像信号については再度転送しない画像転送方法が提案されている（特許文献１）。
【０００８】
これにより、パーソナルコンピュータになじみのない撮影者等でも、デジタルカメラとパーソナルコンピュータとを接続することにより、画像信号を容易に転送することができる。また、画像信号は、パーソナルコンピュータに重複して格納されることなく転送される。
【特許文献１】特開平１１−２２０６９１号公報
【発明の開示】
【発明が解決しようとする課題】
【０００９】
格納する画像信号の容量に対して、デジタルカメラの内部メモリの記録容量が不足すると、画像信号を新たに格納することができなくなる。したがって、撮影者等は、内部メモリに格納された画像信号の中から不必要な画像信号を消去することにより、記憶容量を確保する必要がある。この際、撮影者等は、内部メモリに格納された画像信号のうち、パーソナルコンピュータへ転送済みである画像信号を把握することができれば、それらの画像信号を消去するかどうかの判断を容易に行うことができる。
【００１０】
しかしながら、従来の方法において、デジタルカメラの内部メモリに格納された全画像信号のうち、転送済みの画像信号を判断するには、デジタルカメラとパーソナルコンピュータとを接続し、デジタルカメラに格納された画像信号のファイル番号とパーソナルコンピュータに格納された画像信号のファイル番号とを比較する必要があった。したがって、デジタルカメラ単体では判断が不可能であり、撮影者等にとって利便性が悪いという問題があった。
【００１１】
そこで本発明の目的は、上記の問題を解決するために、撮像装置または記録装置の内部メモリもしくは着脱可能なリムーバブルメモリに格納される画像信号を含む画像ファイルのうち、パーソナルコンピュータ等の外部装置に転送済みの画像ファイルを、撮影者等が容易に把握することのできる撮像装置、記録装置および画像転送方法、並びにその方法の制御プログラムが記録された記録媒体、画像ファイルとして画像データが記録された記録媒体を提供することにある。また、未転送の画像ファイルのみを転送することのできる利便性の高い撮像装置、記録装置および画像転送方法、並びにその方法の制御プログラムが記録された記録媒体、画像ファイルとして画像データが記録された記録媒体を提供することにある。
【課題を解決するための手段】
【００１２】
本発明の目的は、以下の構成を備えた撮像装置によって達成される。被写体の光学的な像を電気的な画像信号として出力し、接続された外部装置に転送可能な撮像装置であって、被写体の光学的な像を形成する撮像光学系と、撮像光学系によって形成された光学的な像を受光し、光学的な像を電気的な画像信号に変換する撮像手段と、撮像手段によって得られる画像信号と、外部装置に転送されるべき画像信号であるか否かを示す識別信号とを含む画像ファイルを格納する記録手段と、記録手段に格納された画像ファイルのうち、外部装置に転送されるべき画像ファイルの識別信号を書き換える書き換え手段とを備えることを特徴としている。
【００１３】
この構成により、撮像装置の内部メモリやリムーバブルメモリ等の記録手段に格納される画像ファイルのうち、パーソナルコンピュータ等の外部装置へ未転送の画像ファイルの識別信号は、書き換えられる。したがって、撮影者等は、パーソナルコンピュータと接続することなく、撮像装置において転送済みの画像ファイルを把握することができる。
【００１４】
一例として、撮像装置は、識別信号に基づいて画像ファイルを検出する画像検出手段を備え、書き換え手段は、記録手段に格納された画像ファイルのうち、画像検出手段により検出されない画像ファイルの識別信号を書き換えることを特徴としている。
【００１５】
この構成により、撮像装置の内部メモリに格納された画像ファイルのうち、パーソナルコンピュータに未転送の画像ファイルについてのみ、その画像ファイルの識別信号が書き換えられる。したがって、転送済みの画像ファイルの識別信号は、重複して書き換えられることがないので、利便性の高い撮像装置を提供することができる。
【００１６】
一例として、撮像装置は、外部装置との接続を検出する接続検出手段を備え、書き換え手段は、接続検出手段により外部装置との接続を検出したあと、転送されるべき画像ファイルの識別信号を書き換えることを特徴としている。
【００１７】
一例として、撮像装置は、識別信号に基づいて画像ファイルを検出する画像検出手段と、記録手段に格納された画像ファイルのうち、画像検出手段により検出されない画像ファイルを、外部装置に転送する転送手段とを備えることを特徴としている。
【００１８】
この構成により、撮像装置の内部メモリに格納された画像ファイルのうち、パーソナルコンピュータに未転送の画像ファイルのみが転送され、転送済みの画像ファイルは重複して転送されないので、利便性の高い撮像装置を提供することができる。
【００１９】
一例として、撮像装置は、識別信号に基づいて画像ファイルを検出する画像検出手段と、画像検出手段により検出される画像ファイルの画像信号に基づいて、撮影画像を表示する表示手段とを備えることを特徴としている。
【００２０】
この構成により、撮像装置の内部メモリに格納された画像ファイルのうち、パーソナルコンピュータに転送済みの画像ファイルは、画像信号に基づいて撮像装置の表示部に可視画像として表示される。したがって、撮影者等は、内部メモリに格納された画像ファイルの消去または保存の判断が容易になる。
【００２１】
具体例として、表示手段は、書き換え手段により識別信号が書き換えられていることを示す識別表示画像を、撮影画像とともに表示することを特徴としている。
【００２２】
この構成により、撮像装置の表示部には、転送済み画像ファイルであることを示す識別表示画像が、撮影画像とともに表示される。したがって、撮影者等は、撮像装置の内部メモリに格納された画像ファイルのうち、転送済みの画像ファイルについて、視覚的に認識することができるので、利便性の高い撮像装置を提供することができる。
【００２３】
一例として、撮像装置は、識別信号に基づいて画像ファイルを検出する画像検出手段と、画像検出手段により検出された画像ファイルを消去する消去手段とを備えることを特徴としている。
【００２４】
この構成により、撮像装置の内部メモリに格納された画像ファイルのうち、パーソナルコンピュータに転送済みの画像ファイルを一括して消去することができる。したがって、撮影者等は、内部メモリの記録容量の確保が容易になるので、利便性の高い撮像装置を提供することができる。
【００２５】
具体例として、消去手段は、撮像装置の電源の投入時あるいは切断時に、画像検出手段により検出された画像ファイルの消去を行うことを特徴としている。
【００２６】
この構成により、撮像装置の内部メモリに格納された画像ファイルのうち、パーソナルコンピュータに転送済みの画像ファイルを定期的に一括消去することができる。したがって、内部メモリの記録容量が不足することを未然に防止することができる。
【００２７】
一例として、撮像装置は、画像ファイルを、識別信号に基づいて記録手段に格納させる記録制御手段と、格納された画像ファイルを消去する消去手段とを備えることを特徴としている。
【００２８】
この構成により、転送済みの画像ファイルは、同一フォルダ内に格納されるので、一括消去を容易に行うことができ、利便性の高い撮像装置を提供することができる。
【００２９】
本発明の目的は、以下の構成を備えた記録装置によって達成される。記録媒体に格納された画像ファイルを読み出し可能な記録装置であって、画像ファイルは、画像信号と、記録装置に転送されるべき画像信号であるか否かを示す識別信号とを含み、記録媒体に格納された画像ファイルのうち、転送されるべき画像ファイルの識別信号を書き換える書き換え手段と、書き換え手段により書き換えられた画像ファイルを記録装置に転送する転送手段と、転送された画像ファイルを格納する内部記録手段とを備えることを特徴としている。
【００３０】
この構成により、リムーバブルメモリに格納された画像ファイルのうち、ハードディスクレコーダ等の記録装置に未転送の画像ファイルの識別信号は書き換えられる。そして、ハードディスクレコーダ等の記録装置へ転送され、ハードディスクレコーダの内部メモリに格納される。したがって、撮影者等は、撮像装置とハードディスクレコーダ等の記録装置とを接続する必要がなく、それぞれ装置において、転送済みの画像ファイルを把握することができるので、利便性の高い記録装置を提供することができる。
【００３１】
一例として、記録装置は、識別信号に基づいて画像ファイルを検出する画像検出手段を備え、書き換え手段は、記録媒体に格納された画像ファイルのうち、画像検出手段により検出されない画像ファイルの識別信号を書き換えることを特徴としている。
【００３２】
この構成により、リムーバブルメモリに格納された画像ファイルのうち、ハードディスクレコーダに未転送の画像ファイルの識別信号についてのみ、書き換えられる。したがって、転送済みの画像ファイルの識別信号は、重複して書き換えられることがないので、利便性の高い記録装置を提供することができる。
【００３３】
一例として、記録装置は、表示手段に接続可能な記録装置であって、識別信号に基づいて、記録媒体に格納された画像ファイルを検出する画像検出手段と、検出手段により検出される画像ファイルの画像信号に基づいて、撮影画像を表示手段に表示させる表示制御手段とを備えることを特徴としている。
【００３４】
この構成により、リムーバブルメモリに格納された画像ファイルのうち、ハードディスクレコーダに転送済みの画像ファイルの画像信号は、ハードディスクレコーダに接続されたモニタ等の表示部に可視画像として表示される。したがって、撮影者等は、リムーバブルメモリに格納された画像ファイルの消去または保存の判断が容易になる。
【００３５】
具体例として、表示手段は、書き換え手段により識別信号が書き換えられていることを示す識別表示画像を、撮影画像とともに表示することを特徴としている。
【００３６】
この構成により、ハードディスクレコーダに接続されたモニタには、転送済み画像ファイルであることを示す識別表示画像が、撮影画像とともに表示される。したがって、撮影者等は、リムーバブルメモリに格納された画像ファイルのうち、転送済みの画像ファイルを、視覚的に認識することができるので、利便性の高い記録装置を提供することができる。
【００３７】
本発明の目的は、以下の構成を備えた画像転送方法によって達成される。記録媒体に格納された画像ファイルを読み出して、外部に接続された記録装置に転送するための画像転送方法であって、画像ファイルは、画像信号と、記録装置に転送されるべき画像信号であるか否かを示す識別信号とを含み、記録媒体に格納された画像ファイルのうち、識別信号が書き換えられている画像ファイルを検出する検出ステップと、検出ステップにより検出されない画像ファイルの識別信号を書き換える書き換えステップと、書き換えステップにより書き換えられた画像ファイルを記録装置に転送する転送ステップとを備えることを特徴としている。
【００３８】
さらに、画像転送方法は、転送ステップにより転送された画像信号を格納する記録ステップとを備えることを特徴としている。
【００３９】
この構成により、リムーバブルメモリに記録された画像ファイルのうち、転送されるべき画像ファイルは、識別信号が書き換えられて転送されるので、撮影者等は、転送済み画像ファイルを容易に把握することができる。
【００４０】
本発明の目的は、以下の構成を備えた制御プログラムを記録したコンピュータ読み取り可能な記録媒体によって達成される。記録媒体に格納された画像信号を記録装置に転送するための制御プログラムを記録したコンピュータ読み取り可能な記録媒体であって、制御プログラムは、記録媒体に格納された画像信号のうち、画像信号の一部が識別信号に書き換えられていることを検出させる検出手順と、検出手順により検出されない画像信号の一部を識別信号に書き換えさせる書き換え手順と、書き換え手順により書き換えられた画像信号を記録装置に転送させる転送手順とを備えること特徴としている。
【００４１】
この構成により、リムーバブルメモリに記録された画像ファイルのうち、転送されるべき画像ファイルは、識別信号が書き換えられて転送されるので、撮影者等は、転送済み画像ファイルを容易に把握することができる。
【００４２】
本発明の目的は、以下の構成を備えたデータ構造を有する画像データが記録されたコンピュータ読み取り可能な記録媒体によって達成される。画像ファイルとして画像データが記録されたコンピュータ読み取り可能な記録媒体であって、画像ファイルは、データ部と、ヘッダ部もしくはフッタ部とを含む構造体を有し、データ部は、画像信号を含み、ヘッダ部もしくはフッタ部のどちらか一方は、記録媒体の外部へ転送されるべき画像信号であるか否かを示す識別信号を含むことを特徴としている。
【００４３】
この構成により、記録媒体に記録された画像ファイルのうち、外部へ転送済みの画像ファイルを容易に把握することができるので、画像ファイルの消去または保存の判断が容易になる。
【００４４】
さらに、識別信号は、記録媒体の外部へ転送されるべき画像ファイルであることを示す識別表示画像を含むことを特徴としている。
【００４５】
この構成により、撮影者等は、外部へ転送済みの画像ファイルを視覚的に認識することができるので、画像ファイルの消去または保存の判断が容易になる。
【発明の効果】
【００４６】
以上のように、本発明によれば、撮像装置または記録装置の内部メモリもしくは着脱可能なリムーバブルメモリに格納される画像信号を含む画像ファイルのうち、パーソナルコンピュータ等の外部装置に転送済みの画像ファイルを、撮影者等は容易に把握することができる。さらに、未転送の画像ファイルのみを転送することのできる利便性の高い撮像装置、記録装置および画像転送方法、並びにその方法の制御プログラムが記録された記録媒体、画像ファイルとして画像データが記録された記録媒体を提供することができる。
【発明を実施するための最良の形態】
【００４７】
（実施の形態１）
図１は、本発明の実施の形態１に係る撮像装置の概略構成を示すブロック図である。本実施の形態において、撮像装置はデジタルカメラ１を用いる。デジタルカメラ１は、撮像光学系Ｌと、マイクロコンピュータ３と、撮像センサ４と、ＣＣＤ駆動制御部５と、アナログ信号処理部６と、Ａ／Ｄ変換部７と、デジタル信号処理部８と、バッファメモリ９と、画像圧縮部１０と、画像記録制御部１１と、画像記録部１２と、画像表示制御部１３と、表示部５５と、シャッター制御部４１と、シャッター駆動モータ４２とを備えている。
【００４８】
撮像光学系Ｌは、３つのレンズ群Ｌ１、Ｌ２、Ｌ３からなる３つのレンズ群を含む光学系である。第１レンズ群Ｌ１、第２レンズ群Ｌ２は、光軸方向に移動することによりズーミングを行う。第３レンズ群Ｌ３は、光軸方向に移動することによりフォーカシングを行う。また、第２レンズ群Ｌ２は、補正レンズ群であって、光軸に垂直な面内を移動することにより光軸を偏心させて画像の動きを補正する役割を果たしている。なお、撮像光学系Ｌは、上記の光学系の構成に限るものではない。
【００４９】
マイクロコンピュータ３は、デジタルカメラ１の各種の制御部全体を制御する。また、マイクロコンピュータ３は、電源スイッチ３５、シャッター操作部３６、撮影／再生切換操作部３７、十字操作キー３８、ＭＥＮＵ設定操作部３９およびＳＥＴ操作部４０、後述する画像転送操作部５６および一括画像消去部５８の信号を、それぞれ受信可能である。
【００５０】
シャッター制御部４１は、シャッター操作部３６の操作によるタイミング信号により、マイクロコンピュータ３からの制御信号に基づいて、シャッター駆動モータ４２を駆動し、シャッターを動作させる。
【００５１】
撮像センサ４は、ＣＣＤであり、撮影光学系Ｌにより形成される光学的な像を電気的な信号に変換する。撮像センサ４は、ＣＣＤ駆動制御部５により駆動制御される。なお、撮像センサ４は、ＣＭＯＳでもよい。
【００５２】
撮像センサ４から出力された画像信号は、アナログ信号処理部６から、Ａ／Ｄ変換部７、デジタル信号処理部８、バッファメモリ９、画像圧縮部１０へと、順次処理される。アナログ信号処理部６は、撮像センサ４から出力される画像信号にガンマ処理等のアナログ信号処理を施す。Ａ／Ｄ変換部７は、アナログ信号処理部６から出力されたアナログ信号をデジタル信号に変換する。デジタル信号処理部８は、Ａ／Ｄ変換部７によりデジタル信号に変換された画像信号のノイズ除去や輪郭強調等のデジタル信号処理を施す。バッファメモリ９は、ＲＡＭ（Ｒａｎｄｏｍ  Ａｃｃｅｓｓ  Ｍｅｍｏｒｙ）であり、デジタル信号処理部８により処理された画像信号を一旦記憶する。
【００５３】
さらに、バッファメモリ９に記憶された画像信号は、画像圧縮部１０から画像記録部１２へと、順次処理される。バッファメモリ９に記憶された画像信号は、画像記録制御部１１の指令により、画像圧縮部１０に送信される。この際、画像信号は、所定の比率で圧縮され、元のデータよりも小さなデータサイズになる。例えば、この圧縮方法として、ＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。その後、圧縮された画像信号は、画像記録部１２へ送信される。
【００５４】
画像記録部１２は、デジタルカメラ１本体に設けられた図示しない内部メモリ５０および／又は着脱可能なリムーバブルメモリ５１により構成される。画像記録制御部１１の指令に基づいて、画像信号と、格納すべき所定の情報とは関連付けられ、画像ファイルとして、画像記録部１２に格納される。ここで画像ファイルは、画像信号が格納されるデータ部と、所定の情報が格納されるヘッダ部あるいはフッタ部を含む。これらの画像信号とともに画像ファイルに格納すべき所定の情報は、画像を撮影した際の日時と、焦点距離情報と、シャッタースピード情報と、絞り値情報と、撮影モード情報と、後述する識別信号とを含む。
【００５５】
画像表示制御部１３は、マイクロコンピュータ３からの制御信号により制御される。この画像表示制御部１３の指令により、表示部５５は、画像記録部１２あるいはバッファメモリ９に格納された画像信号を可視画像として表示する。表示部５５の表示形態は、画像信号に基づく撮影画像のみの表示形態と、画像信号の撮影時の情報を表示する形態とがある。画像信号の撮影時の情報は、焦点距離情報と、シャッタースピード情報と、絞り値情報と、撮影モード情報と、合焦状態情報とを含む。これらの情報は、ＭＥＮＵ設定操作部３９の操作により表示される。
【００５６】
次に、実施の形態１に係るデジタルカメラ１の構成について、図２を用いて説明する。図２（ａ）は、デジタルカメラ１の上面図、図２（ｂ）は、デジタルカメラ１の背面図である。
【００５７】
筐体１ａは、前面にレンズ２を含む撮像光学系を備え、背面に電源スイッチ３５と、撮影／再生切換操作部３７と、十字操作キー３８と、ＭＥＮＵ設定操作部３９と、ＳＥＴ操作部４０と、液晶モニタからなる表示部５５とを含む。さらに、筐体１ａの上面は、シャッター操作部３６と、ズーム操作部５７とを備える。
【００５８】
ズーム操作部５７は、シャッター操作部３６と同軸に回動可能となるように、シャッター操作部３６の周囲に設けられている。電源スイッチ３５は、デジタルカメラ１の電源のＯＮ／ＯＦＦを行う操作部材である。撮影／再生切換操作部３７は、撮影モードと再生モードの切換を行う操作部材であり、レバーを回動させることにより行う。撮影モードに切換えられた状態で、ズーム操作部５７を右方向へ回動させると撮像光学系Ｌは望縁側へ、左方向へ回動させると広角側へ、それぞれマイクロコンピュータ３により制御される。ＭＥＮＵ設定操作部３９は、表示部５５に各種メニューを表示させるための操作部材である。十字操作キー３８は、ＭＥＮＵ設定操作部３９の操作により表示部５５に表示された各種操作メニューを、上下左右の部位を押圧して選択することにより、マイクロコンピュータ３が実行指令を出すための操作部材である。ＳＥＴ操作部４０は、各種操作メニューの表示を、表示前の状態に戻すための操作部材である。
【００５９】
画像信号を含む画像ファイルを、デジタルカメラ１の画像記録部１２から外部記録装置へ転送する方法について、図２および図３を用いて説明する。ここで、外部記録装置は、パーソナルコンピュータ４８を用いる。図３は、図１で示したデジタルカメラ１の制御ブロック図について要部のみを抜き出した図である。図２に示す画像転送操作部５６が押されると、マイクロコンピュータ３に書き込まれたプログラムが実行される。このプログラムは、デジタルカメラ１とパーソナルコンピュータ４８との画像転送処理と、パーソナルコンピュータ４８の所定のディレクトリに画像ファイルを保存するためのフォルダを作成する処理とを実行する。画像転送処理は、画像転送制御部４５の指令に基づき、画像記録部１２に格納された画像ファイルを、画像転送部４６からＵＳＢ（Ｕｎｉｖｅｒｓａｌ  Ｓｅｒｉａｌ  Ｂｕｓ）ケーブル４７を介して、パーソナルコンピュータ４８へ転送する作業を行う。
【００６０】
図４は、実施の形態１に係る撮像装置における画像転送に関するフローチャートを示す。画像記録部１２には、パーソナルコンピュータに転送済みの画像ファイルと、未転送の画像ファイルとが、混在して格納されている。画像ファイルは、データ部に画像信号を、ヘッダ部もしくはフッタ部に、転送済みであるか否かを示す識別信号とを含む。デジタルカメラ１とパーソナルコンピュータ４８とは、ＵＳＢケーブル４７を用いて接続される。マイクロコンピュータ３は、画像転送操作部５６が押されたことを判別すると、転送処理を開始するため、デジタルカメラ１を次のステップへ移行させる。一方、撮影画像転送モードが選択されない場合、デジタルカメラ１は、撮影可能状態へ移行され、画像転送処理を終了する（Ｓｔｅｐ１０１）。画像転送操作部５６が押されることにより、マイクロコンピュータ３は、所定のプログラムの実行を開始する。このプログラムにより、デジタルカメラ１と、パーソナルコンピュータ４８との接続処理が開始される（Ｓｔｅｐ１０２）。接続処理が完了すると、マイクロコンピュータ３は、パーソナルコンピュータ４８の記録部の所定ディレクトリに、撮影画像保存フォルダを作成する（Ｓｔｅｐ１０３）。デジタルカメラ１の画像記録部１２に格納された画像ファイルのうち、すでにパーソナルコンピュータ４８に転送済みの画像ファイルについて、検出処理を行う。この検出処理は、マイクロコンピュータ３により、識別信号９０が書き換えられた画像ファイルを検出する。識別信号９０が書き換えられていない画像ファイルについては、転送されるべき画像ファイルであり、次のステップへ移行される。一方、識別信号９０が書き換えられた画像ファイルが検出された場合、これらの画像ファイルは、すでに転送済みであることから、転送処理は行われない。そして、デジタルカメラ１は撮影可能状態へ移行され、画像転送処理を終了する（Ｓｔｅｐ１０４）。マイクロコンピュータ３の指令により、画像転送制御部４５は、転送されるべき画像ファイルの識別信号９０を書き換える。この際、書き換えられた識別信号９０は、後述するように、表示部に識別表示画像を表示させる信号を含む（Ｓｔｅｐ１０５）。識別信号９０が書き換えられた画像ファイルは、画像転送部４６、ＵＳＢケーブル４７を介して、パーソナルコンピュータ４８の記録部に作成された撮影画像保存フォルダへ転送される。以上により、一連の撮影画像の転送処理が終了する（Ｓｔｅｐ１０６）。
【００６１】
図５は、転送済み画像ファイルの画像信号を可視画像として表示させたときの、デジタルカメラ１の表示部５５を示している。表示部５５に表示された撮影画像の右上には、転送済みであることを示す識別表示画像５５ａが、撮影画像とともに表示される。書き換えられた識別信号９０は、識別表示画像５５ａの信号を含む。画像表示制御部１３は、画像ファイルの識別信号９０が書き換えられている場合、識別表示画像５５ａを撮影画像とともに表示部５５に表示させる。すなわち、識別表示画像５５ａは、転送済み画像ファイルについてのみ表示される。これにより、撮影者等は、その撮影画像が転送済みであるかどうかを視覚的に判断することができるので、転送済み撮影画像を容易に把握することができる。また、所定の操作が行われることにより、マイクロコンピュータ３は、デジタルカメラ１の画像記録部１２に格納された全画像ファイルのうち、識別信号９０が書き換えられた画像ファイルのみを検出する。そして、検出した画像ファイルの画像信号を可視画像として表示部５５に表示させることも可能である。
【００６２】
以上のように、実施の形態１に係る撮像装置において、撮影者等は、デジタルカメラに格納された画像ファイルのうち、パーソナルコンピュータに転送済みの画像ファイルをデジタルカメラにおいて判断することができる。これにより、撮影者等は、デジタルカメラとパーソナルコンピュータとを接続する必要がない。また、すでに識別信号が書き換えられている画像ファイルについては、転送処理は行われないので、パーソナルコンピュータに重複して転送されることがなく、利便性の高いデジタルカメラを提供することができる。さらに、識別表示画像により撮影者等は、転送済み画像ファイルであることを視覚的に把握することができる。したがって、撮影者等は、デジタルカメラに格納された全画像ファイルの中から、消去もしくは保存すべきかの判断が容易になる。
【００６３】
なお、実施の形態１に係る撮像装置において、デジタルカメラとパーソナルコンピュータとを接続するために、ＵＳＢケーブル４７を用いたが、これに限られない。例えば、ＩＥＥＥ１３９４ケーブルや無線等により接続しても同様の効果を得ることができる。
【００６４】
なお、実施の形態１に係る撮像装置において、外部装置としてパーソナルコンピュータを用いる例を示したが、これに限られない。例えば、デジタルカメラと接続可能な、ハードディスクレコーダやＤＶＤレコーダ等を用いてもよい。
【００６５】
（実施の形態２）
図６は、実施の形態２に係る撮像装置における画像消去に関するフローチャートを示す。本実施の形態に係る撮像装置は、実施の形態１とほぼ等しい構成を持つが、次の点で異なる。すなわち、デジタルカメラ１に設けられた画像一括消去モードが選択されると、マイクロコンピュータ３は、画像記録部１２に格納されている画像ファイルの中から、パーソナルコンピュータに転送済みの画像ファイルのみを検出し、検出した画像ファイルを瞬時に消去する構成としている点で異なる。
【００６６】
マイクロコンピュータ３は、デジタルカメラ１のＭＥＮＵ設定操作部３９が操作され、画像一括消去モードが選択されたことを判別すると、消去処理を行うため、デジタルカメラ１を次のステップへ移行させる（Ｓｔｅｐ２０１）。マイクロコンピュータ３は、画像記録部１２に格納されている画像ファイルの中から、識別信号９０が書き換えられた画像ファイルについて検出処理を開始する。この際、画像記録部１２にリムーバブルメモリ５１が挿入されていない場合には、表示部５５にその旨を表示する（Ｓｔｅｐ２０２）。識別信号９０が書き換えられた画像ファイルが検出されない場合、画像記録部１２には、画像ファイルが全く格納されていないか、あるいは転送済みの画像ファイルが存在しないことが考えられる。したがって、識別信号９０が書き換えられた画像ファイルが検出されない場合、消去すべき画像ファイルがないものとして、デジタルカメラ１は、撮影可能状態へ移行され、画像消去処理を終了する。一方、識別信号９０が書き換えられた画像ファイルを検出した場合、マイクロコンピュータ３の指令により、デジタルカメラ１は、次のステップへ移行する（Ｓｔｅｐ２０３）。識別信号９０が書き換えられた画像ファイルが検出された場合、図７に示すように、マイクロコンピュータ３の指令により、画像表示制御部１３は、表示部５５に一括消去選択画面を表示する。ここで、マイクロコンピュータ３は、ＹＥＳボタンを押されたことを判別すると、デジタルカメラ１を次のステップへ移行させる。一方、ＮＯボタンが押されたことを判別すると、転送済みの画像ファイルの消去は行わず、デジタルカメラ１を撮影可能状態へ移行させ、画像消去処理を終了する（Ｓｔｅｐ２０４）。ＹＥＳボタンが押されたことを判別すると、マイクロコンピュータ３は、画像記録部１２に格納された画像ファイルのうち、識別信号９０が書き換えられた画像ファイルを検出し、検出した全ての画像ファイルを消去する。消去処理が終了すると、マイクロコンピュータ３は、デジタルカメラ１を撮影可能状態へ移行させ、一連の画像消去処理を終了する（Ｓｔｅｐ２０５）。
【００６７】
以上のように、実施の形態２に係る撮像装置において、画像一括消去モードを設けたことにより、撮影者等は、転送済みの画像ファイルの一括消去が可能となる。これにより、デジタルカメラの内部メモリもしくはリムーバブルメモリの記録容量を容易に確保することができる。したがって、新たな撮影により画像信号を含む画像ファイルを格納する際にデジタルカメラの内部メモリもしくはリムーバブルメモリの記憶容量が不足する事態を防止することができる。
【００６８】
（実施の形態３）
図８は、実施の形態３に係る撮像装置における画像消去に関するフローチャートを示す。本実施の形態に係る撮像装置は、実施の形態１とほぼ等しい構成を持つが、次の点で異なる。すなわち、デジタルカメラ１の電源が投入されると、マイクロコンピュータ３は、画像記録部１２に格納されている画像ファイルの中から、識別信号９０が書き換えられた画像ファイルを検出し、検出した画像ファイルを瞬時に消去する構成としている点で異なる。
【００６９】
図８において、マイクロコンピュータ３は、デジタルカメラ１の電源スイッチ３５が投入されたことを判別した後、デジタルカメラ１を次のステップへ移行させる（Ｓｔｅｐ３０１）。そして、マイクロコンピュータ３は、画像記録部１２に格納されている画像ファイルの中から、識別信号９０が書き換えられた画像ファイルを検出するための処理を開始する。この際、画像記録部１２にリムーバブルメモリ５１が挿入されていない場合、その旨を表示部５５に表示させる（Ｓｔｅｐ３０２）。識別信号９０が書き換えられた画像ファイルが検出されない場合、画像記録部１２には、画像ファイルが全く格納されていないか、あるいは転送済みの画像ファイルが存在しないことが考えられる。したがって、識別信号９０が書き換えられた画像ファイルが検出されない場合、消去すべき画像ファイルがないものとして、デジタルカメラ１を、そのまま撮影可能状態へ移行させる。一方、識別信号９０が書き換えられた画像ファイルを検出した場合、マイクロコンピュータ３は、デジタルカメラ１を次のステップへ移行させ、画像消去処理を終了する（Ｓｔｅｐ３０３）。識別信号９０が書き換えられた画像ファイルが検出された場合、図９に示すように、マイクロコンピュータ３の指令により、画像表示制御部１３は、表示部５５に一括消去選択画面を表示させる。ここで、マイクロコンピュータ３は、ＹＥＳボタンが押されたことを判別すると、デジタルカメラ１を次のステップへ移行させる。一方、ＮＯボタンが押されたことを判別すると、転送済みの画像ファイルの消去は行わず、デジタルカメラ１を撮影可能状態へ移行させ、画像消去処理を終了する（Ｓｔｅｐ３０４）。ＹＥＳボタンが押されたことを判別すると、マイクロコンピュータ３は、画像記録部１２に格納された画像ファイルのうち、識別信号９０が書き換えられた画像ファイルを検出し、検出した全ての画像ファイルを消去する。消去処理が終了すると、デジタルカメラ１を撮影可能状態へ移行させ、一連の画像消去処理を終了する（Ｓｔｅｐ３０５）。
【００７０】
以上のように、実施の形態３に係る撮像装置において、デジタルカメラの電源が投入された際、転送済みの画像ファイルについては、一括消去が行われるので、デジタルカメラの内部メモリもしくはリムーバブルメモリの記録容量の確保が容易になる。これにより、新たな撮影により画像信号を含む画像ファイルを格納する際に、記憶容量が不足する事態を防止することができる。また、これらの処理は、デジタルカメラの電源投入時に行われるので、定期的に記憶容量が確保され、利便性の高い撮像装置を提供することができる。
【００７１】
なお、本実施の形態において、識別信号は、転送されたか否かについての信号と、転送済みであることを示す識別表示画像の信号とを含み、転送されるべき識別信号については、これらを書き換える構成としたが、これに限られない。例えば、撮影時に書き込まれる撮影日時等の情報を識別信号としてもよい。具体的には、１年前に撮影された画像信号について、デジタルカメラの電源投入時に一括消去してもよい。
【００７２】
なお、本実施の形態において、デジタルカメラの電源が投入された際に、転送済み画像ファイルを一括消去する処理を行ったが、これに限られない。例えば、撮像装置の電源を切断する際に一括消去する処理としても同様の効果を得ることができる。
【００７３】
なお、実施の形態２および３において、消去処理は、識別信号が書き換えられた画像ファイルを検出することにより行ったが、これに限られない。例えば、識別信号に基づいて画像ファイルを同一フォルダに格納したあと、フォルダ内の画像ファイルを一括消去する構成としてもよい。
【００７４】
なお、実施の形態１ないし３において、転送先の外部装置として、記録部を備えたパーソナルコンピュータを用いたが、これに限られない。例えば、プリンタなどの印刷手段と接続する形態としてもよく、印刷手段により出力された画像ファイルの識別信号を書き換えてもよい。
【００７５】
（実施の形態４）
次に、実施の形態４に係る記録装置について図１０ないし図１２を用いて説明する。本実施の形態において、リムーバブルメモリに格納された画像ファイルのうち、転送されるべき画像ファイルの識別信号は、外部記録装置により書き換えられる点で、実施の形態１と異なる。本実施の形態における外部記録装置は、例えばリムーバブルメモリ５１を挿入可能なハードディスクレコーダや、ＤＶＤレコーダを用いる。
【００７６】
デジタルカメラ１により撮影された画像信号を含む画像ファイルは、デジタルカメラ１の内部メモリもしくは、着脱可能なリムーバブルメモリ５１に格納される。本実施の形態において、画像ファイルがリムーバブルメモリ５１に格納された場合について示す。ハードディスクレコーダ６０は、リムーバブルメモリ５１が画像転送部６１に挿入されることにより、リムーバブルメモリ５１に格納された画像ファイルを読み出すとともに、後述する一連の処理により転送されるべき画像ファイルの識別信号を書き換える。
【００７７】
図１２は、実施の形態４に係る記録装置における画像転送に関するフローチャートである。マイクロコンピュータ６５は、リムーバブルメモリ５１が画像転送部６１に挿入され、画像転送モードが選択されたことを判別すると、転送処理を行うため、ハードディスクレコーダを次のステップへ移行させる。一方、画像転送モードが転送されない場合は、転送処理を終了する（Ｓｔｅｐ４０１）。マイクロコンピュータ６５は、画像転送モードが選択されたことを判別したあと、所定のプログラムを実行する。このプログラムにより、撮影画像保存フォルダが、画像記録部６３の所定のディレクトリに作成される（Ｓｔｅｐ４０２）。次に、リムーバブルメモリ５１に格納された画像ファイルのうち、すでにハードディスクレコーダ６０に転送済みの画像ファイルについて、検出処理を行う。この検出処理は、マイクロコンピュータ６５により、識別信号９０が書き換えられた画像ファイルを検出することにより行われる。識別信号９０が書き換えられていない画像ファイルについては、次のステップへ移行する。一方、識別信号９０が書き換えられた画像ファイルが検出された場合、これらの画像ファイルは、すでに転送済みであることから、転送処理は行われず、画像転送処理を終了する（Ｓｔｅｐ４０３）。次に、マイクロコンピュータ６５は、未転送の画像ファイルの転送を開始する前に、画像転送制御部６２へ指令信号を送る。この指令信号により、画像転送制御部６２は、リムーバブルメモリ５１に格納された画像ファイルうち、転送されるべき画像ファイルの識別信号９０を書き換える（Ｓｔｅｐ４０４）。画像転送部６１は、前ステップにおいて、識別信号９０が書き換えられたリムーバブルメモリ５１に格納された画像ファイルを、ハードディスクレコーダ６０の画像記録部６３に転送する。そして、画像記録制御部６４により、転送された画像ファイルは、画像記録部６３に格納される。以上により、一連の転送処理が終了する（Ｓｔｅｐ４０５）。
【００７８】
転送処理が終了した画像ファイルは、識別信号９０が書き換えられているので、リムーバブルメモリ５１を再度デジタルカメラ１に挿入することにより、実施の形態２または実施の形態３に示したように、画像ファイルの一括消去処理が可能である。
【００７９】
以上のように、実施の形態４に係る記録装置は、リムーバブルメモリ５１から記録装置に転送されるべき画像ファイルの識別信号を書き換える。この識別信号により、デジタルカメラにおいて、転送済み画像ファイルの一括消去が可能となるので、リムーバブルメモリの記録容量を容易に確保することができる。したがって、新たな撮影により画像ファイルを格納する際にリムーバブルメモリの記憶容量が不足する事態を防止することができる。
【００８０】
（実施の形態５）
次に、実施の形態５に係る記録装置について図１３を用いて説明する。本実施の形態に係る記録装置は、実施の形態４に係る記録装置の構成とほぼ等しいが、モニタ等の表示装置に接続が可能であり、ハードディスクレコーダ６０に挿入されたリムーバブルメモリ５１もしくはハードディスクレコーダ６０の内部メモリに格納された画像ファイルの画像信号に基づく撮影画像をモニタ７０に表示可能な点で異なる。さらに、モニタ７０には、識別信号に基づく識別表示画像５５ａが表示される。本実施の形態においては、画像ファイルが、リムーバブルメモリ５１に格納された場合について示す。リムーバブルメモリ５１に格納された画像ファイルは、実施の形態４に示した画像転送処理が行われる。さらに、マイクロコンピュータ６５は、ハードディスクレコーダに転送すべき画像ファイルの識別信号９０を書き換える。さらに、書き換えられた識別信号９０は、書き換えられていることを示す識別表示画像５５ａを含む。
【００８１】
図１３は、転送済み画像信号を可視画像として表示させたときの、モニタ７０を示している。転送済みの画像ファイルは、識別信号９０が書き換えられているので、モニタ７０に表示された撮影画像の右上には、転送済みであることを示す識別表示画像５５ａが撮影画像とともに表示される。これにより、撮影者等は、その画像ファイルが転送済みであるかどうかを視覚的に判断することができる。したがって、リムーバブルメモリ５１に格納された画像ファイルのうち、転送済み画像ファイルを容易に把握することができる。また、ハードディスクレコーダ６０について、所定の操作が行われることにより、マイクロコンピュータ６５は、リムーバブルメモリ５１に格納された全画像ファイルのうち、識別信号９０が書き換えられた画像ファイルのみを検出し、検出した画像ファイルの画像信号を可視画像としてモニタ７０に表示させることも可能である。
【００８２】
以上のように、撮影者等は、転送済み画像ファイルであることを視覚的に把握することができるので、リムーバブルメモリに格納された全画像ファイルの中から、消去もしくは保存すべきかの判断が容易になる。したがって、リムーバブルメモリの記憶容量の確保が容易となる。なお、ハードディスクレコーダの内部メモリについても同様の効果を得ることができる。
【００８３】
なお、本実施の形態において、表示手段としてモニタを用いたが、これに限られない。例えば、表示部を備えたデジタルカメラに表示させてもよい。
【００８４】
なお、実施の形態４および５において、リムーバブルメモリ挿入手段を備えたハードディスクレコーダを用いる例を示したが、これに限られない。例えば、リムーバブルメモリの読み出しが可能なメモリーカードリーダ等の読み取り装置と、ハードディスクレコーダとを接続する構成としてもよい。
【００８５】
なお、実施の形態４および５において、記録装置としてハードディスクレコーダまたはＤＶＤレコーダを用いた例を示したが、これに限られない。例えば、ハードディスクを備え、デジタルカメラとの接続にケーブルを必要としない、画像ファイルの記録または集積が可能なクレードルを用いてもよい。
【００８６】
なお、実施の形態１ないし５において、撮影画像は静止画または動画のいずれにおいても同様の効果を得ることができる。
【００８７】
なお、実施の形態１ないし５において、画像ファイルの識別信号を書き換える方法を用いたが、これに限られない。例えば、画像信号と、書き換えた識別信号とを別のフォルダに格納し、画像信号ファイルと、識別信号ファイルとを対応させる方法を用いてもよい。
【産業上の利用可能性】
【００８８】
本発明の撮像装置および記録装置は、画像信号の転送処理に関し、高い利便性と、撮影画像の管理の容易性が要望されている、デジタルスチルカメラ、デジタルビデオカメラ、カメラ機能付きの携帯電話端末およびＰＤＡ、さらにＤＶＤレコーダおよびハードディスクレコーダなどに好適である。
【図面の簡単な説明】
【００８９】
【図１】実施の形態１におけるデジタルカメラの制御システムを示すブロック図
【図２】（ａ）は、実施の形態１におけるデジタルカメラの上面図、（ｂ）はデジタルカメラの背面図
【図３】実施の形態１に係るデジタルカメラの制御ブロック図の部分拡大図
【図４】実施の形態１に係るデジタルカメラにおける画像ファイルの転送動作を示すフローチャート
【図５】実施の形態１に係るデジタルカメラに転送済み画像信号を可視画像として表示させた場合における表示部を示す図
【図６】実施の形態２に係るデジタルカメラにおける画像消去に関するフローチャート
【図７】実施の形態２に係るデジタルカメラの表示部に表示される画像一括消去選択画面を示す図
【図８】実施の形態３に係るデジタルカメラにおける画像消去に関するフローチャート
【図９】実施の形態３に係るデジタルカメラの表示部に表示される画像一括消去選択画面を示す図
【図１０】実施の形態４に係る記録装置を示す図
【図１１】実施の形態４に係る記録装置の制御ブロック図
【図１２】実施の形態４に係る記録装置における画像転送に関するフローチャート図
【図１３】実施の形態５に係る記録装置とモニタ
【符号の説明】
【００９０】
１  デジタルカメラ
１ａ  筐体
２  レンズ
３  マイクロコンピュータ
４  撮像センサ
５  ＣＣＤ駆動制御部
６  アナログ信号処理部
７  Ａ／Ｄ変換部
８  デジタル信号処理部
９  バッファメモリ
１０  画像圧縮部
１１  画像記録制御部
１２  画像記録部
１３  画像表示制御部
３５  電源スイッチ
３６  シャッター操作部
３７  撮影／再生切換操作部
３８  十字操作キー
３９  ＭＥＮＵ設定操作部
４０  ＳＥＴ操作部
４１  シャッター制御部
４２  シャッター駆動モータ
４８  パーソナルコンピュータ
５０  内部メモリ
５１  リムーバブルメモリ
５５  表示部
５５ａ  識別表示画像
５６  画像転送操作部
５７  ズーム操作部
５８  一括画像消去部
６０  ハードディスクレコーダ
６１  画像転送部
６２  画像転送制御部
６３  画像記録部
６４  画像記録制御部
６５  マイクロコンピュータ
７０  モニタ
Ｌ  撮像光学系
Ｌ１  第１レンズ群
Ｌ２  第２レンズ群
Ｌ３  第３レンズ群
【図１】
2006157128.tif 000003
【図２】
2006157128.tif 000004
【図３】
2006157128.tif 000005
【図４】
2006157128.tif 000006
【図５】
2006157128.tif 000007
【図６】
2006157128.tif 000008
【図７】
2006157128.tif 000009
【図８】
2006157128.tif 000010
【図９】
2006157128.tif 000011
【図１０】
2006157128.tif 000012
【図１１】
2006157128.tif 000013
【図１２】
2006157128.tif 000014
【図１３】
2006157128.tif 000015